(57)【要約】【課題】データ信号を分配して供給する構成において、表示品位の低下を抑える。【解決手段】画素回路１１０は、トランジスター１３０、１４０と保持容量１３５と発光素子１５０とを含む。初期化期間において、トランジスター１３０を導通状態にしてデータ線１１４に残留する電位をトランジスター１４０のゲートノードに供給し、これによりトランジスター１４０のソースノード電位を初期化し、グループ化された例えば３本のデータ線を所定の順番で選択するとともに、グループに対応して出力されたデータ信号を選択されたデータ線に供給する。この後、トランジスター１３０を再度導通状態にしてデータ線に供給および保持されたデータ信号をトランジスター１４０のゲートノードに供給する。【選択図】図１
2012233950.tif 000002
【特許請求の範囲】
【請求項１】
複数本の走査線と、ａ（ａは２以上の整数）本毎にグループ化された複数のデータ線との交差に対応して設けられた複数の画素回路と、
前記複数の画素回路を駆動する駆動回路と、
を有し、
前記複数の画素回路の各々は、
発光素子と、
ドレインノードが電源線に電気的に接続され、ゲートノードおよびソースノード間の電圧に応じた電流を前記発光素子に流す駆動トランジスターと、
前記駆動トランジスターのゲートノードとデータ線との間で導通状態が制御されるスイッチングトランジスターと、
を含み、
前記駆動回路は、
前記電源線の電位を一方側にするとともに、前記駆動トランジスターのゲートノードに、前記データ線および前記スイッチングトランジスターを介し前記データ線に残留する電位を供給して、前記駆動トランジスターのソースノードの電位を初期化し、
前記グループ化されたａ本のデータ線を所定の順番で選択するとともに、各グループに対応して出力されたデータ信号を各グループで選択されたデータ線に供給し、
前記データ線に供給されたデータ信号を、前記スイッチングトランジスターを介し前記駆動トランジスターのゲートノードに供給する
ことを特徴とする電気光学装置。
【請求項２】
前記データ線に残留する電位は、
１水平走査期間前に、各グループで選択したデータ線に供給したデータ信号の電位である
ことを特徴とする請求項１に記載の電気光学装置。
【請求項３】
複数本の走査線と、ａ（ａは２以上の整数）本毎にグループ化された複数のデータ線との交差に対応して設けられた複数の画素回路と、
前記複数の画素回路を駆動する駆動回路と、
を有し、
前記複数の画素回路の各々は、
発光素子と、
ドレインノードが電源線に電気的に接続され、ゲートノードおよびソースノード間の電圧に応じた電流を前記発光素子に流す駆動トランジスターと、
前記駆動トランジスターのゲートノードとデータ線との間で導通状態が制御されるスイッチングトランジスターと、
を含み、
前記駆動回路は、
前記グループ化されたａ本のデータ線を所定の順番で選択して各グループに対応して出力されたデータ信号を各グループで選択されたデータ線に供給するとともに、前記電源線の電位を一方側にして、前記駆動トランジスターのゲートノードに、前記スイッチングトランジスターを介し前記データ線に供給された電位を供給して、前記駆動トランジスターのソースノードの電位を初期化し、
その後、前記スイッチングトランジスターを再度導通状態にして前記データ線に残留するデータ信号の電位を前記駆動トランジスターのゲートノードに供給する
ことを特徴とする電気光学装置。
【請求項４】
前記駆動回路は、
前記初期化の後に、前記駆動トランジスターのゲートノードおよびソースノード間に当該駆動トランジスターの閾値電圧に相当する電圧を保持させる
ことを特徴とする請求項１乃至３のいずれかに記載の電気光学装置。
【請求項５】
複数本の走査線と、ａ（ａは２以上の整数）本毎にグループ化された複数のデータ線との交差に対応して設けられた複数の画素回路を有し、
前記複数の画素回路の各々は、
発光素子と、
ドレインノードが電源線に電気的に接続され、ゲートノードおよびソースノード間の電圧に応じた電流を前記発光素子に流す駆動トランジスターと、
前記駆動トランジスターのゲートノードとデータ線との間で導通状態が制御されるスイッチングトランジスターと、
を含む電気光学装置の駆動方法であって、
前記電源線の電位を一方側にするとともに、前記駆動トランジスターのゲートノードに、前記データ線および前記スイッチングトランジスターを介し前記データ線に残留する電位を供給して、前記駆動トランジスターのソースノードの電位を初期化し、
前記グループ化されたａ本のデータ線を所定の順番で選択するとともに、各グループに対応して出力されたデータ信号を各グループで選択されたデータ線に供給し、
前記データ線に供給されたデータ信号を、前記スイッチングトランジスターを介し前記駆動トランジスターのゲートノードに供給する
ことを特徴とする電気光学装置の駆動方法。
【請求項６】
複数本の走査線と、ａ（ａは２以上の整数）本毎にグループ化された複数のデータ線との交差に対応して設けられた複数の画素回路を有し、
前記複数の画素回路の各々は、
発光素子と、
ドレインノードが電源線に電気的に接続され、ゲートノードおよびソースノード間の電圧に応じた電流を前記発光素子に流す駆動トランジスターと、
前記駆動トランジスターのゲートノードとデータ線との間で導通状態が制御されるスイッチングトランジスターと、
を含む電気光学装置の駆動方法であって、
前記グループ化されたａ本のデータ線を所定の順番で選択して各グループに対応して出力されたデータ信号を各グループで選択されたデータ線に供給するとともに、前記電源線の電位を一方側にして、前記駆動トランジスターのゲートノードに、前記スイッチングトランジスターを介し前記データ線に供給された電位を供給して、前記駆動トランジスターのソースノードの電位を初期化し、
その後、前記スイッチングトランジスターを再度導通状態にして前記データ線に残留するデータ信号の電位を前記駆動トランジスターのゲートノードに供給する
ことを特徴とする電気光学装置の駆動方法。
【請求項７】
請求項１乃至４のいずれかに記載の電気光学装置を有する
ことを特徴とする電子機器。
【発明の詳細な説明】
【技術分野】
【０００１】
本発明は、表示品位の低下を抑えた電気光学装置、電気光学装置の駆動方法および電子機器に関する。
【背景技術】
【０００２】
近年、有機発光ダイオード（Organic Light Emitting Diode、以下「ＯＬＥＤ」という）などの発光素子を用いた電気光学装置が各種提案されている。このような電気光学装置では、走査線とデータ線との交差に対応して画素回路が設けられる。当該画素回路は、上記発光素子のほか、スイッチングトランジスターと駆動トランジスターとを含む、いわゆる２Ｔｒ回路が一般的である（例えば特許文献１参照）。
この２Ｔｒ回路において、駆動トランジスターの閾値電圧や移動度などの特性が画素回路毎に異なっていると、表示画面の一様性が損なわれるので、駆動トランジスターの特性を補償する技術が提案されている（例えば特許文献２参照）。
【先行技術文献】
【特許文献】
【０００３】
【特許文献１】特開２００７−３１０３１１号公報
【特許文献２】特開２００９−２７１３３６号公報
【発明の概要】
【発明が解決しようとする課題】
【０００４】
ところで、上記技術においては、データ線に対し、駆動トランジスターの特性を補償するための初期電位を与えた後に、データ信号（映像信号）を与えるので、データ線の電位が大きく変動する。上記駆動トランジスターのゲートノードやソースノード（発光素子のアノード）は、データ線に対し寄生容量を介してカップリングしているので、データ線の電位変動は表示に悪影響を及ぼす場合が多い。特に、データ線を複数のａ本毎にグループ化するとともに、当該ａ本のデータ線に対し共通の信号線からデータ信号を順番に分配するデマルチプレクサを有する構成においては、ａ本のデータ線同士にわたって時間差をもって電位変動する。このため、電位変動の影響がａ本のデータ線同士で異なることになり、表示品位を大きく低下させる要因になり得る。
なお、電位変動による影響はａ本のデータ線毎に異なるので、具体的にいえば、データ線に沿った表示ムラ、すなわち縦スジとして視認されることになる。
【０００５】
本発明は、上述した事情に鑑みてなされたもので、その目的の一つは、デマルチプレクサを有する構成においても、縦スジのような表示品位の低下を抑えることが可能な技術を提供することにある。
【課題を解決するための手段】
【０００６】
上記目的を達成するために本発明に係る電気光学装置にあっては、複数本の走査線と、ａ（ａは２以上の整数）本毎にグループ化された複数のデータ線との交差に対応して設けられた複数の画素回路と、前記複数の画素回路を駆動する駆動回路と、を有し、前記複数の画素回路の各々は、発光素子と、ドレインノードが電源線に電気的に接続され、ゲートノードおよびソースノード間の電圧に応じた電流を前記発光素子に流す駆動トランジスターと、前記駆動トランジスターのゲートノードとデータ線との間で導通状態が制御されるスイッチングトランジスターと、を含み、前記駆動回路は、前記電源線の電位を一方側にするとともに、前記駆動トランジスターのゲートノードに、前記データ線および前記スイッチングトランジスターを介し前記データ線に残留する電位を供給して、前記駆動トランジスターのソースノードの電位を初期化し、前記グループ化されたａ本のデータ線を所定の順番で選択するとともに、各グループに対応して出力されたデータ信号を各グループで選択されたデータ線に供給し、前記データ線に供給されたデータ信号を、前記スイッチングトランジスターを介し前記駆動トランジスターのゲートノードに供給することを特徴とする。
本発明によれば、データ線に残留する電位によって初期化を実行するので、同じ階調（または近い階調）が連続するような場合であれば、データ線の電位は変動しない（変動が小さい）。このため、データ線の電位変動に起因する表示品位の低下を抑えることが可能になる。
本発明において、前記データ線に残留する電位は、直前に供給されたデータ信号の電位、すなわち、１水平走査期間前に、各グループで選択したデータ線に供給したデータ信号の電位であることが好ましい。
【０００７】
また、上記目的は、複数本の走査線と、ａ（ａは２以上の整数）本毎にグループ化された複数のデータ線との交差に対応して設けられた複数の画素回路と、前記複数の画素回路を駆動する駆動回路と、を有し、前記複数の画素回路の各々は、発光素子と、ドレインノードが電源線に電気的に接続され、ゲートノードおよびソースノード間の電圧に応じた電流を前記発光素子に流す駆動トランジスターと、前記駆動トランジスターのゲートノードとデータ線との間で導通状態が制御されるスイッチングトランジスターと、を含み、前記駆動回路は、前記グループ化されたａ本のデータ線を所定の順番で選択して各グループに対応して出力されたデータ信号を各グループで選択されたデータ線に供給するとともに、前記電源線の電位を一方側にして、前記駆動トランジスターのゲートノードに、前記スイッチングトランジスターを介し前記データ線に供給された電位を供給して、前記駆動トランジスターのソースノードの電位を初期化し、その後、前記スイッチングトランジスターを再度導通状態にして前記データ線に残留するデータ信号の電位を前記駆動トランジスターのゲートノードに供給する電気光学装置によっても達成し得る。
この電気光学装置によれば、データ線に供給されたデータ信号、すなわち自身の画素回路に向けて供給されるデータ信号の電位によって初期化するので、データ線の電位が前行の走査時から変化する場合であっても、その電位変動の影響を受けにくくなる。このため、データ線の電位変動に起因する表示品位の低下を抑えることが可能になる。
【０００８】
これらの電気光学装置において、前記制御回路は、前記初期化の後に、前記駆動トランジスターのゲートノードおよびソースノード間に当該駆動トランジスターの閾値電圧に相当する電圧を保持させる構成としても良い。この構成によれば、駆動トランジスターの閾値電圧が画素回路毎にばらついても、そのバラツキを補償することができる。
なお、本発明は、電気光学装置のほか、電気光学装置の駆動方法や、当該電気光学装置を有する電子機器として概念することも可能である。電子機器は、典型的には表示装置であり、電子機器としてはパーソナルコンピューターや携帯電話機が挙げられる。もっとも、本発明に係る電気光学装置の用途は、表示装置に限定されない。例えば、光線の照射によって感光体ドラムなどの像担持体に潜像を形成するための露光装置（光ヘッド）にも適用可能である。
【図面の簡単な説明】
【０００９】
【図１】第１実施形態に係る電気光学装置の構成を示すブロック図である。
【図２】画素回路の等価回路を示す図である。
【図３】第１実施形態に係る各部の動作を示す図である。
【図４】第２実施形態に係る各部の動作を示す図である。
【図５】実施形態に係る電気光学装置を用いた電子機器（その１）を示す図である。
【図６】実施形態に係る電気光学装置を用いた電子機器（その２）を示す図である。
【図７】実施形態に係る電気光学装置を用いた電子機器（その３）を示す図である。
【図８】比較例に係る電気光学装置の構成を示すブロック図である。
【図９】比較例に係る各部の動作を示す図である。
【図１０】トランジスターの電圧Ｖds−電流Ｉdsの特性を示す図である。
【発明を実施するための形態】
【００１０】
以下、本発明の実施形態について図面を参照して説明する。
図１は、本発明の実施形態に係る電気光学装置の構成を示すブロック図である。この図に示されるように、この電気光学装置１は、表示部１００、制御回路２００、走査線駆動回路２１０、電源線駆動回路２２０、データ信号供給回路２３０およびデマルチプレクサ２４０に大別される。
このうち、表示部１００には、本実施形態ではｍ行の走査線１１２が図において横方向に延在して設けられ、また、３列毎にグループ化された計（３ｎ）列のデータ線１１４が図において縦方向に延在し、かつ、各走査線１１２と互いに電気的な絶縁を保って設けられている。ここで、ｍ、ｎは、いずれも自然数である。
また、表示部１００には、１行毎に個別の電源線１１６が設けられている。
【００１１】
画素回路１１０は、ｍ行の走査線１１２と（３ｎ）列のデータ線１１４との交差部に対応して、それぞれ設けられている。このうち、同一行の走査線１１２と、同一グループに属する３列のデータ線１１４との交差に対応した３つの画素回路１１０は、表示すべき画像の１ドット（画素）を表現するものであり、それぞれＲ（赤）、Ｇ（緑）、Ｂ（青）のサブ画素に相当する。換言すれば、本実施形態は、ＲＧＢの３つの画素回路１１０による加法混色で１ドットの色を表現する構成になっている。このため、表示部１００で表示される画像は、ドットでみれば縦ｍ行×横ｎ列の配列である。
ドットの列を一般化して説明するために、１以上ｎ以下の整数ｊを用いると、図１において左から数えて（３ｊ−２）列目、（３ｊ−１）列目および（３ｊ）列目のデータ線１１４は、それぞれｊ番目のブロックに属し、かつ、Ｒ、Ｇ、Ｂの系列である、ということになる。
【００１２】
制御回路２００は、走査線駆動回路２１０、電源線駆動回路２２０、データ信号供給回路２３０およびデマルチプレクサ２４０に、各種の制御信号やデータ信号を供給して、これらの各部を制御する。
【００１３】
走査線駆動回路２１０は、各走査線１１２に走査信号をそれぞれ供給するものであり、詳細には、フレームの期間において、制御回路２００の制御にしたがって１、２、３、…、（ｍ−１）、ｍ行目の走査線１１２を１行毎に順番に走査するものである。ここで、１、２、３、…、（ｍ−１）、ｍ行目の走査線１１２に供給される走査信号の電位を、各行で区別するために、それぞれＧw(1)、Ｇw(2)、Ｇw(3)、…、Ｇw(m-1)、Ｇw(m)と表記している。また、フレームの期間とは、電気光学装置１が１カット（コマ）分の画像を表示するのに要する期間をいい、垂直走査周波数が６０Ｈｚであれば、その１周期分の１６．６７ミリ秒の期間である。
【００１４】
電源線駆動回路２２０は、制御回路２００の制御にしたがって１、２、３、…、（ｍ−１）、ｍ行目の電源線１１６の電源電位を、走査線１１２の走査に同期して高位側の電位Ｖel_Hと低位側の電位Ｖel_Lとで切り替えて供給するものである。ここで、１、２、３、…、（ｍ−１）、ｍ行目の電源線１１６に供給される電源電位を、各行で区別するために、それぞれＶel(1)、Ｖel(2)、Ｖel(3)、…、Ｖel(m-1)、Ｖel(m)と表記している。
【００１５】
データ信号供給回路２３０は、１行分の走査線１１２が走査されるときに、当該走査される走査線１１２と各ブロックにおける３列のデータ線１１４との交差に対応する３つの画素回路１１０の各々で表現すべきサブ画素の階調に応じた電位のデータ信号を、デマルチプレクサ２４０の分配に同期して出力するものである。なお、便宜的に、１、２、…、ｎ番目のブロックに対応して出力されるデータ信号の電位を、各ブロックで区別するために、それぞれＶd(1)、Ｖd(2)、Ｖd(3)、…、Ｖd(n)と表記している。
【００１６】
デマルチプレクサ２４０は、データ線１１４毎に設けられたＮチャネル型のトランジスター２４２の集合体であり、各ブロックを構成する３列のデータ線１１４に対し、各ブロックに対応して供給されたデータ信号を順番に分配するものである。
ここで、Ｒ系列のデータ線１１４に設けられたトランジスター２４２は、制御信号の電位Ｓel(R)がＨレベルである場合にときにオン（導通）して、データ信号供給回路２３０から供給されたデータ信号を当該Ｒ系列のデータ線１１４に供給する。同様に、Ｇ、Ｂ系列のデータ線１１４に設けられたトランジスター２４２の各々は、それぞれ制御信号の電位Ｓel(G)、Ｓel(B)がＨレベルである場合にときにオンして、データ信号供給回路２３０から供給されたデータ信号を当該Ｇ系列、Ｂ系列のデータ線１１４にそれぞれ供給する構成となっている。
なお、トランジスター２４２については片チャネル型ではなく、Ｐ型とＮ型とを組み合わせた相補型としても良い。
【００１７】
各列のデータ線１１４は、データ信号供給回路２３０とデマルチプレクサ２４０とによって駆動されることになるので、データ信号供給回路２３０とデマルチプレクサ２４０との両者を合わせたものをデータ線駆動回路として概念することができる。さらに、このようなデータ線駆動回路と走査線駆動回路２１０と電源線駆動回路２２０とによって画素回路１１０が駆動されることになるので、データ信号供給回路２３０とスイッチ回路２４０と走査線駆動回路２１０と電源線駆動回路２２０とを合わせたものを駆動回路として概念することができる。
【００１８】
各データ線１１４には、図に示されるようにそれぞれ容量Ｃpが寄生している。このため、トランジスター２４２がオンしてデータ線１１４にデータ信号が供給されると、その後にトランジスター２４２がオフ（非導通）しても、データ信号の電位が寄生容量Ｃpによって保持（残留）する構成となっている。
【００１９】
図２を参照して画素回路１１０について説明する。図２には、ｉ行目及び当該ｉ行目に対し上側で隣り合う（ｉ−１）行目の走査線１１２と、ｊ番目のブロックに属する３列のデータ線１１４との交差に対応する２×３の計６個分の画素回路１１０が示されている。ここで、（ｉ−１）、ｉは、画素回路１１０が配列する行を一般的に示す場合の記号であって、それぞれ１以上ｍ以下の整数である。
【００２０】
図２に示されるように、各画素回路１１０は、それぞれＮチャネル型のトランジスター１３０、１４０と、保持容量１３５と、発光素子１５０とを有する。各画素回路１１０の電気的な構成については互いに同一である。
トランジスター１３０は、スイッチングトランジスターとして機能するものであり、そのゲートノードは走査線１１２に接続される一方、そのドレインノードはデータ線１１４に接続され、そのソースノードは保持容量１３５の一端とトランジスター１４０のゲートノードとにそれぞれ接続されている。
保持容量１３５の他端は、トランジスター１４０のソースノードおよび発光素子１５０の陽極にそれぞれ接続されている。一方、トランジスター１４０のドレインノードは、電源線１１６に接続されている。
【００２１】
便宜的に、ｉ行目の走査線１１２と、ｊ番目のブロックに属する３列のデータ線１１４との交差に対応するＲ、Ｇ、Ｂの画素回路１１０において、トランジスター１４０のゲートノード（トランジスター１３０のソースノードおよび保持容量１３５の一端）をＲg、Ｇg、Ｂgとそれぞれ表記し、トランジスター１４０のソースノード（発光素子１５０の陽極）をＲs、Ｇs、Ｂsとそれぞれ表記している。また、ｊ番目のブロックに属する３列のＲ系列、Ｇ系列、Ｂ系列のデータ線１１４の電位を、それぞれＶd_R(j)、Ｖd_G(j)、Ｖd_B(j)と表記している。
【００２２】
発光素子１５０は、互いに対向する陽極と陰極とで有機ＥＬ材料からなる発光層を挟持したＯＬＥＤであり、陽極から陰極に向かって流れる電流に応じた輝度にて、対応するＲＧＢのいずれかの色で発光するように構成されている。発光素子１５０の陰極は、各画素回路１１０にわたって共通電極１１８に接続されている。共通電極１１８には、素子電源の低位側の電位Ｖctが給電される。容量１５２は、発光素子１５０の容量成分である。
【００２３】
表示部１００は、一般にガラス基板などの透明性を有する絶縁基板に形成されている。表示部１００の画素回路１１０におけるトランジスター１３０、１４０は、例えば薄膜トランジスターであり、非晶質シリコンや低温ポリシリコンで形成される。低温ポリシリコンとする場合、走査線駆動回路２１０や、電源線駆動回路２２０、デマルチプレクサ２４０を構成するトランジスターなどの能動素子についても画素回路１１０とともに、上記絶縁基板に形成することができる。
【００２４】
図３を参照して電気光学装置１の動作について説明する。図３は、電気光学装置１における各部の動作を説明するための図である。
この図に示されるように、走査線駆動回路２１０が制御回路２００による制御にしたがって走査信号の電位Ｇw(1)〜Ｇw(m)を切り替えることによって、１フレームの期間において１〜ｍ行目の走査線１１２を１水平走査期間（Ｈ）毎に順番に走査する。
１水平走査期間（Ｈ）での動作は、各行の画素回路１１０にわたって共通である。そこで以下については、主にｉ行目の走査線１１２が走査されたときに、当該ｉ行目にあって、ｊ番目のブロックに属する３列のデータ線１１４との交差に対応するＲ、Ｇ、Ｂの画素回路１１０について着目して説明する。
次に、着目する３つの画素回路１１０と、当該３つの画素回路１１０に対して上側で隣り合う画素回路１１０との表示内容が同じである場合を想定する。本発明で問題とする縦スジは、同一の表示内容が複数行にわたって連続する場合に視認されやすいためである。このときの表示内容に対応するデータ信号の電位をそれぞれＶdata_R(j)、Ｖdata_G(j)、Ｖdata_B(j)であるとする。
【００２５】
本実施形態において、ｉ行目の走査線１１２の走査期間は、大別すると、時間の順で初期化期間、セット期間、データ分配期間および書込期間に分けられる。
ここで、制御回路２００は、走査線駆動回路２１０に対し、ｉ行目の走査線１１２の走査期間において走査信号の電位Ｇw(i)を、初期化期間およびセット期間においてＨレベルとさせ、データ分配期間においてＬレベルとさせ、書込期間において再度Ｈレベルとさせる。
一方、制御回路２００は、電源線駆動回路２２０に対し、ｉ行目の電源線１１６の電位Ｖel(i)を、初期化期間において低位側の電位Ｖel_Lとさせ、セット期間以降では、高位側の電位Ｖel_Hとさせる。なお、電位Ｖel(i)が電位Ｖel_Hから電位Ｖel_Lに遷移するタイミングは、図３においては初期化期間の開始時としているが、発光素子１５０の発光期間を短くするのであれば、初期化期間よりも手前のタイミングで電位Ｖel_Lに遷移させても良い。
【００２６】
ｉ行目の初期化期間では、走査信号の電位Ｇw(i)がＨレベルに遷移して、トランジスター１３０がオンするので、トランジスター１４０のゲートノードはデータ線１１４の電位になる。このときのデータ線１１４の電位Ｖd_R(j)、Ｖd_G(j)、Ｖd_B(j)は、１水平走査期間（Ｈ）前に供給されたデータ信号の電位Ｖdata_R(j)、Ｖdata_G(j)、Ｖdata_B(j)、詳細には、（ｉ−１）行目の走査期間において供給されて、寄生容量Ｃpにより残留するデータ信号の電位Ｖdata_R(j)、Ｖdata_G(j)、Ｖdata_B(j)である。このため、ゲートノードＲg、Ｇg、Ｂgも、それぞれ電位Ｖdata_R(j)、Ｖdata_G(j)、Ｖdata_B(j)になる。
一方、ｉ行目の電源線１１６は低位側の電位Ｖel_Lである。本実施形態において電位Ｖel_Lとデータ線１１４の残留電位との差分電圧が、トランジスター１４０の閾値電圧Ｖth_trを十分に上回るので、当該トランジスター１４０が駆動状態になる。このため、トランジスター１４０のソースノードＲs、Ｇs、Ｂs（発光素子１５０の陽極）は、それぞれ電位Ｖel_Lに初期化される。
【００２７】
したがって、トランジスター１４０のゲートノードおよびソースノード間の電圧、すなわち保持容量１３５で保持される電圧は、データ線１１４の残留電位と電位Ｖel_Lとの差分の電圧に初期化される。
なお、電位Ｖel_Lと共通電極１１８の電位Ｖctとの電位差が発光素子１５０の発光閾値電圧を十分に下回るような値となるように当該電位Ｖel_Lが設定されるので、初期化期間において発光素子１５０は、オフ状態（非発光状態）である。
【００２８】
続いてセット期間では、走査信号の電位Ｇw(i)がＨレベルに維持されているので、トランジスター１４０のゲートノードＲg、Ｇg、Ｂgについても、それぞれデータ線１１４に残留する電位Ｖdata_R(j)、Ｖdata_G(j)、Ｖdata_B(j)に維持される。
一方、セット期間の開始時においてｉ行目の電源線１１６が高位側の電位Ｖel_Hに遷移するので、ゲートノードに保持されたデータ信号の残留電位に応じた電流Ｉdsがトランジスター１４０のドレインノード（電源線１１６）からソースノード（発光素子１５０の陽極）に流れる。この電流Ｉdsは、発光素子１５０の容量１５２に流れ込んで、当該容量を充電させる。この充電により、トランジスター１４０のソースノードＲs、Ｇs、Ｂsの電位は、それぞれ時間経過とともに上昇する。
これにより、セット期間の終了時において保持容量１３５には、おおよそトランジスター１４０の閾値電圧Ｖth_trに相当する電圧がセットされることになる。したがって、以降におけるゲートノードの電位に応じた駆動に際し、当該トランジスター１４０の閾値電圧Ｖth_trは、保持容量１３５の保持電圧で相殺されることになる。
【００２９】
この後、データ分配期間に移行すると、走査信号の電位Ｇw(i)がＬレベルを遷移する。このため、トランジスター１３０がオフするので、トランジスター１４０のゲートノードＲg、Ｇg、Ｂgは、それぞれハイ・インピーダンス（フローティング）状態になる。
一方、ｉ行目の電源線１１６が高位側の電位Ｖel_Hを維持するので、トランジスター１４０のソースノードＲs、Ｇs、Ｂsは、ゆるやかに上昇し続ける。したがって、ゲートノードＲg、Ｇg、Ｂgは、ソースノードＲs、Ｇs、Ｂsの電位上昇に連動して上昇する。
【００３０】
データ分配期間において、制御回路２００は、制御信号の電位Ｓel(R)、Ｓel(G)、Ｓel(B)を順次排他的にＨレベルにする。
制御回路２００は、またデータ信号供給回路２３０に対し、電位Ｓel(R)がＨレベルのときにｊ番目のブロックに対応するデータ信号の電位ｄ(j)を、ｉ行目の走査線１１２とｊ番目のブロックにおけるＲ系列のデータ線１１４とに対応する画素回路１１０で表現するべきＲのサブ画素の階調に応じた電位にさせる。同様に制御回路２００は、データ信号供給回路２３０に対し、データ信号の電位ｄ(j)を、電位Ｓel(G)がＨレベルのときにｉ行目の走査線１１２とｊ番目のブロックにおけるＧ系列のデータ線１１４とに対応するＧのサブ画素の階調に応じた電位とさせ、電位Ｓel(B)がＨレベルのときにｉ行目の走査線１１２とｊ番目のブロックにおけるＢ系列のデータ線１１４とに対応するＢのサブ画素の階調に応じた電位とさせる。
【００３１】
電位Ｓel(R)、Ｓel(G)、Ｓel(B)が順番にＨレベルになると、ｊ番目のブロックにおける３つのトランジスター２４２は、Ｒ系列、Ｇ系列、Ｂ系列の順にオンするので、データ信号は、Ｒ系列、Ｇ系列、Ｂ系列のデータ線１１４に順番に分配される。
なお、１つ前の（ｉ−１）行目のデータ分配期間においても、（ｉ−１）行目とｊ番目のブロックにおけるＲ、Ｇ、Ｂ系列のデータ線１１４にデータ信号が分配されるが、分配されたデータ信号は、寄生容量Ｃpによって保持されている。上述したようにｊ番目のブロックに属する画素回路１１０のうち、（ｉ−１）行目の表示とｉ行目の表示とが同じ内容である場合を想定しているので、ｉ行目のデータ信号が新たに分配されたとしても、データ線１１４の電位Ｖd_R(j)、Ｖd_G(j)、Ｖd_B(j)は、それぞれ図において破線で示されるように電位Ｖdata_R(j)、Ｖdata_G(j)、Ｖdata_B(j)を維持することになる。
【００３２】
続いて、書込期間に移行すると、走査信号の電位Ｇw(i)が再度Ｈレベルを遷移する。このため、トランジスター１３０がオンして、それぞれデータ線１１４で維持された電位が書き込まれるので、ゲートノードＲg、Ｇg、Ｂgの電位が、再びそれぞれＶdata_R(j)、Ｖdata_G(j)、Ｖdata_B(j)になる。
ここで、ゲートノードＲg、Ｇg、Ｂgは、データ分配期間においては電位Ｖdata_R(j)、Ｖdata_G(j)、Ｖdata_B(j)からそれぞれ上昇し、書込期間において再び電位Ｖdata_R(j)、Ｖdata_G(j)、Ｖdata_B(j)にそれぞれ戻る。このときのゲートノードＲg、Ｇg、Ｂgの変動分をそれぞれΔＶr、ΔＶg、ΔＶbとする。
【００３３】
ところで、トランジスター１４０の移動度μが大きいほど、当該トランジスター１４０に流れる電流Ｉdsが大きくなり、ソースノードの電位変動量も大きくなる。反対に、移動度μが小さいほど電流Ｉdsが小さくなり、ソースノードの電位変動量も小さくなる。すなわち、移動度μが大きいほどトランジスター１４０におけるゲートノード・ソースノード間の電圧の変動量（負帰還量）が大きくなる一方、移動度μが小さいほどゲートノード・ソースノード間の電圧の変動量（負帰還量）が小さくなる。このため、トランジスター１４０のゲートノード・ソースノード間の電圧には、当該トランジスター１４０に流れる電流Ｉdsに応じた帰還量で負帰還がかかり、当該トランジスター１４０においては、移動度μに対する電流Ｉdsの依存性がキャンセルされる。したがって、画素回路１１０毎にトランジスター１４０の移動度μがばらついても、そのバラツキが補償される。このバラツキの補償は、データ分配期間、書込期間にわたって実行される。
【００３４】
そして、書込期間が終了すると、走査信号の電位Ｇw(i)が再度Ｌレベルを遷移する。このため、トランジスター１３０がオフするので、トランジスター１４０のゲートノードＲgは、ハイ・インピーダンス状態になる。
このとき、トランジスター１４０におけるゲートノード・ソースノード間の電圧（保持容量１３５の両端電圧）は、書込期間の終了時における電圧に維持されるから、トランジスター１４０には、当該電圧に応じた電流Ｉdsが流れ、この結果、ソースノードＲsの電位は時間の経過とともに再上昇する。ゲートノードＲgはハイ・インピーダンス状態であるので、当該ゲートノードＲgの電位は、ソースノードＲsの電位上昇に連動して上昇する。この結果、トランジスター１４０におけるゲートノード・ソースノード間の電圧は、書込期間の終了時における電圧に維持されたまま、ソースノードＲsの電位が上昇する。
ソースノードＲsの電位が上昇する過程において、発光素子１５０の両端電圧が発光閾値電圧Ｖth_oledを超えると、電流Ｉdsの一部が発光素子１５０にも流れ始めて、発光開始となる。まもなく容量１５２への充電が完了すると、電流Ｉdsがすべて発光素子１５０に流れるので、当該発光素子１５０は、当該電流Ｉdsに応じた輝度で発光し続けることになる。
【００３５】
このような動作は、ｉ行目の走査線１１２が走査される期間において、着目したＲの画素回路１１０以外の画素回路１１０においても同様に時間的に並列して実行される。さらに、このような動作は、１フレームの期間において１、２、３、…、（ｍ−１）、ｍ行目の走査線１１２の順番で実行されるとともに、フレーム毎に繰り返される。
このような動作において、発光素子１５０に流れる駆動電流は、トランジスター１４０の閾値電圧Ｖth_trや移動度μのバラツキが補償されているので、画素回路１１０毎にトランジスター１４０の特性がばらついていても、バラツキに起因した輝度のムラが抑制されることになる。
【００３６】
本実施形態において画素回路１１０の初期化期間では、１水平走査期間（Ｈ）前に供給されてデータ線１１４に残留する電位によって、トランジスター１４０のソースノード（発光素子１５０の陽極）における電位や、保持容量１３５の両端電圧を初期化している。このため、ある行の表示内容が、当該行の１行前と同じ（または近い）表示内容あれば、データ線１１４の電位は変動しない（または変動が小さい）ので、当該電位変動に起因する表示ムラを抑制することが可能になる。
【００３７】
ここで、データ線１１４の電位が変動したときに発生する表示ムラについて比較例を参照して説明する。
図８は、比較例に係る電気光学装置の構成を示すブロック図である。この図に示されるように比較例に係る電気光学装置では、データ線１１４を、信号の電位Ｇiniによって電位Ｖofsに初期化するトランジスター２４４がデータ線１１４毎に設けられる。
【００３８】
図９は、比較例に係る電気光学装置の動作を説明するための図である。なお、図９において紙面スペースの関係上、Ｇについては省略している。
この図に示されるように比較例に係る電気光学装置では、初期化期間の時間的前方において信号の電位ＧiniがＨレベルになるので、各トランジスター２４４のオンによってすべてのデータ線１１４がそれぞれ電位Ｖofsに初期化される。このため、初期化期間では、ゲートノードがそれぞれ電位Ｖofsに初期化される。
【００３９】
データ分配期間においてトランジスター１４０のゲートノードＲg、Ｇg、Ｂgがハイ・インピーダンス状態のときに、制御信号Ｓel(R)がＨレベルになると、Ｒ系列のデータ線１１４には、階調に応じたデータ信号が供給される。このため、当該Ｒ系列のデータ線１１４の電位Ｖd_R(j)は、電位Ｖofsから電位Ｖdata_R(j)に変動する。上述したようにゲートノードＲgは、Ｒ系列のデータ線１１４と寄生容量によってカップリングしているので、当該電位変動によってゲートノードＲgの電位が変動する。同様にソースノードＲsは、Ｒ系列のデータ線１１４と寄生容量によってカップリングしているので、当該電位変動によってソースノードＲsの電位が変動する。次に、図示省略しているが、制御信号Ｓel(G)がＨレベルになったとき、同様にゲートノードＧgおよびソースノードＧsが変動する。この後、制御信号Ｓel(B)がＨレベルになったときも、同様にゲートノードＢgおよびソースノードＢsが変動する。
このため、ゲートノードＲg、Ｇg、Ｂg（ソースノードＲs、Ｇs、Ｂs）の電位は、それぞれ制御信号Ｓel(R)、Ｓel(G)、Ｓel(B)がＨレベルになるタイミングで時間差をもって変動することになる。
ここで、データ分配期間の開始時から対応する制御信号がＨレベルに遷移するまでの期間をＳとしたとき、期間Ｓの長さは、Ｒ系列が最も短く、次いでＧ系列、Ｂ系列の順になる。一方、対応する制御信号がＨレベルに遷移してから、データ分配期間が終了するまで（書込期間が開始するまで）の期間をそれぞれＴとしたとき、期間Ｔの長さは、Ｂ系列が最も短く、次いでＧ系列、Ｒ系列の順になる。
【００４０】
トランジスター１４０が薄膜トランジスターで構成される場合、ドレインノード・ソースノード間の電圧Ｖdsに対する電流Ｉdsの特性は、例えば図１０に示されるように飽和領域において理想的なフラットではなく、若干傾きをもっている。
期間Ｓは、データ信号の分配によるソースノードおよびゲートノードの電位上昇前であり、期間Ｔは電位上昇後であるので、電圧Ｖdsは、相対的に期間Ｓの方が期間Ｔよりも高く、電流Ｉdsは、期間Ｓの方が期間Ｔよりも大きくなる。このため、図９においてデータ分配期間でのソースノード（ゲートノード）の電位上昇カーブの傾きは、期間Ｓで大きくなり、期間Ｔで小さくなる。期間Ｓ、Ｔは、ＲＧＢの系列毎に相違しているので、書込期間においてデータ信号を書き込む直前のゲートノード（ソースノード）の電位についても、ＲＧＢの系列毎に異なっている。すなわち、書込期間におけるゲートノードＲg、Ｇg、Ｂgの変動分ΔＶr、ΔＶg、ΔＶbが、それぞれＲＧＢ系列毎に異なっている。
したがって、分配されたデータ信号をゲートノードに書き込む際に、ＲＧＢの系列毎に差が生じる。この差は、例えばＲＧＢを一様なベタ表示にしようとしてもＲＧＢ毎に輝度が異なってしまうということになり、これが、上述したような表示品位の低下、すなわち一種の縦スジとして視認されてしまうことになる。
【００４１】
これに対して本実施形態では、１水平走査期間（Ｈ）前に供給されてデータ線１１４に残留する電位によって初期化しているので、１行前の表示内容と同じであれば（または近ければ）、データ線１１４の電位は変動しない（または変動が小さい）。このため、データ線１１４の電位変動に起因する表示ムラを抑制することが可能になるのである。
【００４２】
次に、本発明の第２実施形態に係る電気光学装置について説明する。第２実施形態に係る電気光学装置は、構成的には第１実施形態に係る電気光学装置と共通であり、動作のみが異なる。そこで、第２実施形態については、この動作を中心に説明することにする。
【００４３】
図４は、第２実施形態に係る電気光学装置における各部の動作を説明するための図である。
この図に示されるように、第２実施形態において走査線駆動回路２１０が走査信号の電位Ｇw(1)〜Ｇw(m)を切り替えて、１フレームの期間において１〜ｍ行目の走査線１１２を１水平走査期間（Ｈ）毎に順番に走査する点については、第１実施形態と共通である。ただし、第２実施形態では、初期化期間において初期化とデータ分配との双方が実行される点において第１実施形態と相違している。
【００４４】
この点について詳述すると、初期化期間において、制御回路２００は、走査信号の電位Ｇw(i)をＨレベルとし、ｉ行目の電源線１１６の電位Ｖel(i)を低位側の電位Ｖel_Lとしたときに、制御信号の電位Ｓel(R)、Ｓel(G)、Ｓel(B)を順次排他的にＨレベルにする。制御回路２００は、データ信号供給回路２３０に対し、制御信号の電位Ｓel(R)、Ｓel(G)、Ｓel(B)を順次にＨレベルにしたときに、データ信号ｄ(j)を、ｉ行目の走査線１１２とｊ番目のブロックにおけるＲ系列のデータ線１１４とに対応する画素回路１１０、同行の走査線１１２と同ブロックにあってＧ系列のデータ線１１４とに対応する画素回路１１０、および、同行の走査線１１２と同ブロックにあってＢ系列のデータ線１１４とに対応する画素回路１１０への各階調に応じた電位に順番に切り替える。
【００４５】
このため、第２実施形態によれば、ｉ行目の初期化期間においては、１水平走査期間（Ｈ）前に供給された（ｉ−１）行目に対応するデータ信号ではなく、当該ｉ行目に対応するデータ信号、すなわち書き込むべきデータ信号自身の電位で初期化が実行される。初期化が実行された後、セット期間から書込期間に至るまで、データ線１１４は、書き込むべきデータ信号に保持されたまま、電位が変動することはない。このため、第２実施形態では、第１実施形態と比較して、１水平走査期間（Ｈ）前に供給されたデータ線１１４の残留電位に依存しないで、初期化が実行される。
第１実施形態では、１水平走査期間（Ｈ）前に供給されたデータ線１１４の残留電位に初期化されるので、１行前の表示内容と同じである場合（または近い場合）に限り、データ線１１４の電位変動による影響を抑えることができる。これに対して、第２実施形態では、自身のｉ行目の書き込むべきデータ信号の電位で初期化が実行されるので、表示内容が大きく変化しても、また、各フレーム期間の最初に走査される１行目においても、縦スジの発生を抑えることが可能になる。
【００４６】
本発明は、上述した実施形態に限られず、種々の変形・適用が可能である。
例えば上述した第１および第２実施形態にあっては、行毎の電源線１１６に、走査線１１２の走査に同期して電位Ｖel_Hと電位Ｖel_Lとで切り替えて供給する構成としたが、電位Ｖel_Hを給電する高位側電源線と電位Ｖel_Lを給電する低位側電源線とを設けるとともに、いずれかの電源線を選択するスイッチを画素回路１１０の側に設けて、トランジスター１４０のドレインノードに供給する構成としても良い。
【００４７】
また、上述した第１および第２実施形態にあっては、走査線１１２を１、２、３、…、（ｍ−１）、ｍ行目という順番で走査したが、例えば最初のフィールドで奇数行（１、３、５、…）を走査し、次のフィールドで偶数行（２、３、４、…）を走査するというな飛び越し走査にも適用可能である。飛び越し走査の場合には、第１実施形態において、ある行の走査線を走査するときに初期化期間に残留する電位は、１行上ではなく、２行上に対応して供給されたデータ信号の電位になるが、１水平走査期間（Ｈ）前に供給された電位であることに変わりはない。
【００４８】
各実施形態において、ブロックを構成するデータ線１１４の本数「ａ」、すなわち１つのデータ信号を分配する数「ａ」を「３」としたが、「２」以上であれば良い。なお、１つのドットをＲＧＢの３色で構成するのであれば、３の倍数が好ましい。
また、各実施形態において、１ドットをＲＧＢの３色の加法混色によって表現する構成としたが、ＲＧＢに加えて別の１色または複数色を加えても良い。例えば再現可能な色域を拡大するために例えばイエロー（Ｙ）を加えた４色によって１ドットを構成しても良いし、輝度を向上させるためにをホワイト（Ｗ）を加えた４色によって１ドットを構成しても良い。なお、４色によって１ドットを構成する場合には、データ信号の分配数「ａ」を４の倍数にするのが好ましい。
【００４９】
一方、トランジスター１３０、１４０についてはそれぞれＮチャネル型としたが、いずれか一方を、または、双方をＰチャネル型としても良い。
発光素子１５０としては、ＯＬＥＤのほか、無機ＥＬ素子やＬＥＤ（Light Emitting Diode）素子など、電流に応じた輝度で発光する素子が適用可能である。
【００５０】
＜電子機器＞
次に、本発明に係る電気光学装置を適用した電子機器のいくつかについて説明する。
図５は、上述した実施形態に係る電気光学装置１を表示装置として採用した電子機器（その１）としてのパーソナルコンピューターの外観を示す図である。パーソナルコンピューター２０００は、表示装置としての電気光学装置１と本体部２０１０とを備える。本体部２０１０には、電源スイッチ２００１およびキーボード２００２が設けられている。
電気光学装置１において、発光素子１５０にＯＬＥＤを使用した場合、視野角が広く見易い画面表示が可能になる。
【００５１】
図６は、実施形態に係る電気光学装置１を表示装置として採用した電子機器（その２）である携帯電話機の外観を示す図である。携帯電話機３０００は、複数の操作ボタン３００１や方向キー３００２などのほか、受話口３００３、送話口３００４とともに上述した電気光学装置１を備える。方向キー３００２を操作することによって、電気光学装置１に表示される画面がスクロールする。
【００５２】
図７は、実施形態に係る電気光学装置１を表示装置として採用した電子機器（その３）としての携帯情報端末（ＰＤＡ：Personal Digital Assistants）の外観を示す図である。携帯情報端末４０００は、複数の操作ボタン４００１や方向キー４００２などのほか、上述した電気光学装置１を備える。携帯情報端末４０００では、所定の操作によって住所録やスケジュール帳などの各種の情報が電気光学装置１に表示されるとともに、表示された情報が方向キー４００２の操作に応じてスクロールする。
【００５３】
なお、本発明に係る電気光学装置が適用される電子機器としては、図５から図７までに示した例のほか、テレビ、カーナビゲーション装置、ページャー、電子手帳、電子ペーパー、電卓、ワードプロセッサー、ワークステーション、テレビ電話、ＰＯＳ端末、プリンター、スキャナー、複写機、ビデオプレーヤー、タッチパネルを備えた機器等などが挙げられる。
【符号の説明】
【００５４】
１…電気光学装置、１１０…画素回路、１１２…走査線、１１４…データ線、１１６…電源線、１１８…共通電極、１３０…トランジスター、１３５…保持容量、１４０…トランジスター、１５０…発光素子、２００…制御回路、２１０…走査線駆動回路、２２０…電源線駆動回路、２３０…データ信号供給回路、２４０…デマルチプレクサ、２０００…パーソナルコンピューター、３０００…携帯電話機、４０００…携帯情報端末。
【図１】
2012233950.tif 000003
【図２】
2012233950.tif 000004
【図３】
2012233950.tif 000005
【図４】
2012233950.tif 000006
【図５】
2012233950.tif 000007
【図６】
2012233950.tif 000008
【図７】
2012233950.tif 000009
【図８】
2012233950.tif 000010
【図９】
2012233950.tif 000011
【図１０】
2012233950.tif 000012